(57)【特許請求の範囲】
【請求項１】
巻上機本体の制動機側の側面を形成したフランジと、上記制動機側の側面を覆い上記フランジと対面して配置された防水カバーと、上記フランジ面及び防水カバーの間に配置された粘弾性材製のシール材と、上記側面に空隙を形成して上記防水カバーを締結し、上記シール材によって上記側面に上記防水カバーを弾性支持する締結具とを備え、上記締結具を、上記防水カバーに挿通されて上記制動機側の側面にねじ込まれ、大径部が上記フランジ面に当たって上記防水カバーの端面と上記フランジ面との間に空隙を形成する段付ボルトからなるものとしたことを特徴とするエレベーター用巻上機。
【請求項２】
フランジの巻上機本体側の面から突設されて中心に貫通孔が設けられた雄ねじにねじ込まれた袋ナットと、この袋ナットの内部に設けられて制動機から外部に配線されるケーブルの挿通孔及びこの挿通孔から外縁に達する切れ目を有する粘弾性材製のパッキンとを備えたことを特徴とする請求項１記載のエレベーター用巻上機。
【請求項３】
防水カバーに設けられた水密機能を有する点検窓を備えたことを特徴とする請求項１及び請求項２のいずれか一つに記載のエレベーター用巻上機。
【発明の詳細な説明】
【０００１】
【発明の属する技術分野】
この発明は、主として昇降路内の下部に設置されるエレベーター用巻上機に関する。
【０００２】
【従来の技術】
巻上機が昇降路内の下部に設置されるエレベーターの場合に、台風による豪雨時等に昇降路に浸水してエレベーター用巻上機に設けられた制動機の作動不全が生じたり、制動機等の電気的機器に水害が発生したりするときがある。このような不具合の発生を防ぐために、巻上機の制動機側に浸水を防止する防水カバーが装備される。
【０００３】
【発明が解決しようとする課題】
上記のような従来のエレベーター用巻上機では、防水性を向上させるために巻上機本体に防水カバーが密着して装着される。このため、制動機の作動時に防水カバーが共振して不快な騒音が発生するという問題点があった。
【０００４】
この発明は、かかる問題点を解消するためになされたものであり、運転時における制動機の作動時に共振現象による不快な騒音発生を伴うことなく、所要の防水性能を達成できるエレベーター用巻上機を得ることを目的とする。
【０００５】
【課題を解決するための手段】
この発明に係るエレベーター用巻上機においては、巻上機本体の制動機側の側面を形成したフランジと、制動機側の側面を覆いフランジと対面して配置された防水カバーと、フランジ面及び防水カバーの間に配置された粘弾性材製のシール材と、制動機側の側面に空隙を形成して防水カバーを締結し、シール材によって制動機側の側面に防水カバーを弾性支持する締結具とが設けられる。
【０００６】
また、この発明に係るエレベーター用巻上機においては、防水カバーに挿通されて制動機側の側面にねじ込まれ、大径部がフランジ面に当たって防水カバーの端面とフランジ面との間に空隙を形成する段付ボルトからなる締結具が設けられる。
【０００７】
また、この発明に係るエレベーター用巻上機においては、フランジの巻上機本体側の面から突設されて中心に貫通孔が設けられた雄ねじにねじ込まれた袋ナットと、この袋ナットの内部に設けられて制動機から外部に配線されるケーブルの挿通孔及びこの挿通孔から外縁に達する切れ目を有する粘弾性材製のパッキンとが設けられる。
【０００８】
また、この発明に係るエレベーター用巻上機においては、水密機能を有する点検窓が防水カバーに設けられる。
【０００９】
【発明の実施の形態】
実施の形態１．
図１〜図５は、この発明の実施の形態の一例を示す図で、図１は巻上機の正面図、図２は図１の制動機側の側面図、図３は図２の側面に形成されるフランジの正面図、図４は図１のＡ部を拡大して示す縦断面図、図５は図１に示す袋ナットの正面図である。図において、１は巻上機の本体、２は本体１における制動機側の側面、３は側面２に形成されたフランジ、４はフランジ３に対面して設けられて制動機（図示しない）を覆って配置されて防水カバーである。
【００１０】
５はゴム等の粘弾性材製のシール材で、防水カバー４の内面寄りの外縁部に設けられた装着溝に嵌合されてフランジ３と対面し、装着溝の外縁部から突出して配置されている。６は段付ボルトからなる締結具で、防水カバー４の縁部に挿通されて図４に示すようにシール材５の外側に配置され、フランジ３にねじ込まれて段部、すなわち大径部がフランジ３に当たって防水カバー４の端面とフランジ３面との間に図４に示す空隙Ｂを形成する。
【００１１】
これによって、シール材５によってフランジ３に対して防水カバー４が弾性支持される。７は締結具６の頭部と防水カバー４の間に配置されたゴム等の粘弾性材製のワッシャーである。８は袋ナットで、フランジ３の本体１側の面から突設されて中心に貫通孔が設けられた雄ねじ（図示しない）にねじ込まれている。
【００１２】
９は袋ナット８の内部に設けられたゴム等の粘弾性材製のパッキンで、巻上機の制動機から外部に配線されるケーブル１０の挿通孔１１が設けられ、この挿通孔１１から外縁に達する切れ目１２が設けられている。１３は防水カバー４に設けられた水密機能を有する点検窓で、シールされた開閉扉が設けられるか又はガラス等の透明板が装着されて構成されている。なお、図４に示すように、締結具６の大径部は長さＣに製作され、防水カバー４の締結具６の挿通部は長さＤに製作されて、フランジ３と防水カバー４の間に前述の空隙Ｂが形成される。
【００１３】
上記のように構成されたエレベーター用巻上機において、巻上機の本体１における制動機側の側面２に形成されたフランジ３にシール材５を介して防水カバー４が配置される。そして、締結具６によってフランジ３に防水カバー４が締結され、これにより、シール材５が弾性変形してフランジ３に押圧され、また防水カバー４の端面とフランジ３面との間に空隙Ｂが形成される。このようにして、制動機側の側面２に防水カバー４が弾性支持されると共に、防水カバー４の端面とフランジ３面との間が密封されて良好な防水作用を得ることができる。
【００１４】
また、シール材５が弾性変形すると共に、防水カバー４の端面とフランジ３面との間に空隙Ｂが形成されて防水カバー４が弾性支持される。このため、巻上機の制動機が制動動作したときに、制動音に防水カバー４が共振することがなく不快な騒音の発生を防ぐことができ、エレベーターの運転を静粛化することができる。
【００１５】
さらに、フランジ３の本体１側の面にねじ込まれた袋ナット８に、パッキン９が設けられて切れ目１２が設けられた挿通孔１１に、外部に配線されるケーブル１０が挿通される。これにより、袋ナット８を締めつけることによってケーブル１０の挿通箇所が密封されて、この箇所において良好な防水作用を得ることができる。また、パッキン９に切れ目１２が設けられているので、長いケーブル１０をそれの端部からパッキン９に挿通する必要がなく、長手の中間から切れ目１２を経てパッキン９に挿通することができ、作業能率を向上することができる。
【００１６】
また、防水カバー４に点検窓１３が設けられているので、防水カバー４内、すなわち巻上機における制動機の挙動等を観察する場合に、防水カバー４を取り外さずに内部状況を容易に点検することができ、防水カバー４取り外す煩雑な作業を省くことができて、点検作業能率を向上することができる。
【００１７】
【発明の効果】
この発明は以上説明したように、巻上機本体の制動機側の側面を形成したフランジと、制動機側の側面を覆いフランジと対面して配置された防水カバーと、フランジ面及び防水カバーの間に配置された粘弾性材製のシール材と、制動機側の側面に空隙を形成して防水カバーを締結し、シール材によって制動機側の側面に防水カバーを弾性支持する締結具とを設けたものである。
【００１８】
これによって、防水カバーにより押圧されシール材が弾性変形してフランジ面に密着するので、防水カバーの端面とフランジ面との間が密封されて防水作用を有効化する効果がある。また、シール材が弾性変形すると共に防水カバーの端面とフランジ面との間に空隙が形成されて防水カバーが弾性支持される。このため、巻上機の制動機が制動動作したときに、制動音に防水カバーが共振することがなく不快な騒音の発生を防ぐことができ、エレベーターの運転を静粛化する効果がある。
【００１９】
また、この発明は以上説明したように、防水カバーに挿通されて制動機側の側面にねじ込まれ、大径部がフランジ面に当たって防水カバーの端面とフランジ面との間に空隙を形成する段付ボルトからなる締結具を設けたものである。
【００２０】
これによって、防水カバーにより押圧されシール材が弾性変形してフランジ面に密着するので、防水カバーの端面とフランジ３との間が密封されて防水作用を有効化する効果がある。また、シール材が弾性変形すると共に防水カバーの端面とフランジ面との間に、段付ボルトの大径部を介して空隙が形成されて防水カバーが弾性支持される。このため、巻上機の制動機が制動動作したときに、制動音に防水カバーが共振することがなく不快な騒音の発生を防ぐことができ、エレベーターの運転を静粛化する効果がある。
【００２１】
また、この発明は以上説明したように、フランジの巻上機本体側の面から突設されて中心に貫通孔が設けられた雄ねじにねじ込まれた袋ナットと、この袋ナットの内部に設けられて制動機から外部に配線されるケーブルの挿通孔及びこの挿通孔から外縁に達する切れ目を有する粘弾性材製のパッキンとを設けたものである。
【００２２】
これによって、防水カバーにより押圧されシール材が弾性変形してフランジ面に密着するので、防水カバーの端面とフランジ面との間が密封されて防水作用を有効化する効果がある。また、シール材が弾性変形すると共に防水カバーの端面とフランジ面との間に空隙が形成されて防水カバーが弾性支持される。このため、巻上機の制動機が制動動作したときに、制動音に防水カバーが共振することがなく不快な騒音の発生を防ぐことができ、エレベーターの運転を静粛化する効果がある。
また、袋ナット及び袋ナット内にパッキンが設けられるので、袋ナットを締めつけることにより外部に配線されるケーブルの挿通部において有効な防水作用を得る効果がある。また、パッキンにおけるケーブルの挿通孔に切れ目が設けられるので、長いケーブルをそれの端部からパッキンに挿通する必要がなく、長手の中間から切れ目を経てパッキンにケーブルを挿通することができて作業能率を向上する効果がある。
【００２３】
また、この発明は以上説明したように、防水カバーに水密機能を有する点検窓を設けたものである。
【００２４】
これによって、防水カバーにより押圧されシール材が弾性変形してフランジ面に密着するので、防水カバーの端面とフランジ面との間が密封されて防水作用を有効化する効果がある。また、シール材が弾性変形すると共に防水カバーの端面とフランジ面との間に空隙が形成されて防水カバーが弾性支持される。このため、巻上機の制動機が制動動作したときに、制動音に防水カバーが共振することがなく不快な騒音の発生を防ぐことができ、エレベーターの運転を静粛化する効果がある。
また、防水カバーに点検窓が設けられているので、防水カバー内、すなわち巻上機における制動機の挙動等を観察する場合に、防水カバー取り外さずに内部状況を容易に点検することができ、防水カバー取り外す煩雑な作業を省くことができて点検作業能率を向上する効果がある。
【図面の簡単な説明】
【図１】  この発明の実施の形態１を示す図で、巻上機の正面図。
【図２】  図１の制動機側の側面図。
【図３】  図２の側面に形成されるフランジの正面図。
【図４】  図１のＡ部を拡大して示す縦断面図。
【図５】  図１に示す袋ナットの正面図。
【符号の説明】
１  巻上機の本体、２  制動機側の側面、３  フランジ、４  防水カバー、５シール材、６  締結具、８  袋ナット、９  パッキン、１０  ケーブル、１１挿通孔、１２  切れ目、１３  点検窓。
【図１】
0004601121.tif 000002
【図２】
0004601121.tif 000003
【図３】
0004601121.tif 000004
【図４】
0004601121.tif 000005
【図５】
0004601121.tif 000006